【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
複数サブキャリア変調方式を用い、少なくとも第１及び第２の無線局を有するＴＤＭＡ無線通信システムであって、
前記第２の無線局は、前記第１の無線局のサブキャリア毎の受信状況に基づき、前記第１の無線局において一定値以上の伝送レートを得ることができるサブキャリアのみを選択し、かつ、選択されたサブキャリアを、時間分割した前記ＴＤＭＡのタイムスロットをサブキャリアレベルで制御することにより、その受信状況に応じた多値数又は符号化率により変調して通信を行うことを特徴としたＴＤＭＡ無線通信システム。
【請求項２】
複数サブキャリア変調方式を用い、少なくとも第１及び第２の無線局を有するＴＤＭＡ無線通信システムであって、
前記第１の無線局は、サブキャリア毎の受信電力を検知するサブキャリア電力検出手段と、該サブキャリア電力検出手段により検知された前記受信電力に関する情報を前記第２の無線局に通知する通知手段とを有し、
前記第２の無線局は、前記第１の無線局から送られたサブキャリア毎の受信状況に基づき、前記第１の無線局において一定値以上の伝送レートで通信可能な受信電力が得られるサブキャリアであるか否かを判別する判別手段と、該判別手段により通信可能と判別されたサブキャリアのみを選択する送信サブキャリア選択手段とを含み、該送信サブキャリア選択手段により選択されたサブキャリアを、時間分割した前記ＴＤＭＡのタイムスロットをサブキャリアレベルで制御することにより、その受信状況に応じた多値数又は符号化率により変調して通信を行うことを特徴としたＴＤＭＡ無線通信システム。
【請求項３】
複数サブキャリア変調方式を用い、互いに同じ周波数を用いて通信を行う少なくとも１つの基地局と端末局とを有するＴＤＭＡ無線通信システムであって、
前記端末局は、サブキャリアの受信電力に関するブロードキャスト情報を前記基地局に通知する通知手段を有し、
前記基地局は、前記ブロードキャスト情報を検出するブロードキャスト情報検出手段と、該ブロードキャスト情報に応じてサブキャリア毎の受信電力を検出するサブキャリア電力検出手段と、該サブキャリア電力検出手段により検出された受信電力に基づいて、前記端末局において一定値以上の伝送レートで通信可能な受信電力が得られるサブキャリアであるか否かを判別する判別手段と、該判別手段により通信可能と判別されたサブキャリアのみを選択的する送信サブキャリア選択手段とを含み、該送信サブキャリア選択手段により選択された各サブキャリアを、時間分割した前記ＴＤＭＡのタイムスロットをサブキャリアレベルで制御することにより、その受信電力に応じた多値数又は符号化率により変調して通信を行うことを特徴としたＴＤＭＡ無線通信システム。
【請求項４】
複数サブキャリア変調方式を用い、少なくとも１つの基地局と端末局とを有するＴＤＭＡ無線通信システムであって、
前記基地局は、前記端末局のサブキャリア毎の受信状況に基づき、前記端末局において一定値以上の伝送レートを得ることができるサブキャリアのみを選択し、かつ、選択されたサブキャリアを、時間分割した前記ＴＤＭＡのタイムスロットをサブキャリアレベルで制御することにより、その受信状況と前記基地局を基準とした前記端末局の位置とに応じて割当てられる多値数又は符号化率により変調して通信を行うことを特徴としたＴＤＭＡ無線通信システム。
【請求項５】
複数サブキャリア変調方式を用い、少なくとも１つの基地局と端末局とを有するＴＤＭＡ無線通信システムであって、
前記端末局は、サブキャリア毎の受信電力を検知するサブキャリア電力検出手段と、該サブキャリア電力検出手段により検知された前記受信電力に関する情報を前記基地局に通知する通知手段とを有し、
前記基地局は、前記端末局から送られたサブキャリア毎の受信状況に基づき、前記端末局において一定値以上の伝送レートで通信可能な受信電力が得られるサブキャリアであるか否かを判別する判別手段と、前記受信状況と前記基地局を基準とした前記端末局の位置とに応じて、時間分割した前記ＴＤＭＡのタイムスロットをサブキャリアレベルで制御することにより、多値数又は符号化率を割当てる割当て手段と、該判別手段により通信可能と判別されたサブキャリアのみを選択的に、かつ、前記割当て手段により割当てられた多値数又は符号化率により送信するサブキャリアを選択する送信サブキャリア選択手段と
を有するＴＤＭＡ無線通信システム。
【請求項６】
複数サブキャリア変調方式を用い、互いに同じ周波数を用いて通信を行う少なくとも１つの基地局と端末局とを有するＴＤＭＡ無線通信システムであって、
前記基地局は、前記端末局のサブキャリア毎の受信状況に基づき、前記端末局において一定値以上の伝送レートを得ることができるサブキャリアのみを選択し、かつ、選択されたサブキャリアを、時間分割した前記ＴＤＭＡのタイムスロットをサブキャリアレベルで制御することにより、その受信状況と前記基地局を基準とした前記端末局の位置とに応じて割当てられる多値数又は符号化率により変調して通信を行うことを特徴としたＴＤＭＡ無線通信システム。
【請求項７】
複数サブキャリア変調方式を用い、互いに同じ周波数を用いて通信を行う少なくとも１つの基地局と端末局とを有するＴＤＭＡ無線通信システムであって、
前記端末局は、サブキャリアの受信電力に関するブロードキャスト情報を前記基地局に通知する通知手段を有し、
前記基地局は、前記ブロードキャスト情報を検出するブロードキャスト情報検出手段と、該ブロードキャスト情報に応じてサブキャリア毎の受信電力を検出するサブキャリア電力検出手段と、該サブキャリア電力検出手段により検出された受信電力に基づいて、前記端末局において一定値以上の伝送レートで通信可能な受信電力が得られるサブキャリアであるか否かを判別する判別手段と、前記受信電力と前記基地局を基準とした前記端末局の位置とに応じて、時間分割した前記ＴＤＭＡのタイムスロットをサブキャリアレベルで制御することにより、多値数又は符号化率を各サブキャリアに対して割当てる割当て手段と、前記判別手段により通信可能と判別されたサブキャリアのみを選択的に、かつ、前記割当て手段により割当てられた多値数又は符号化率で送信する送信サブキャリア選択手段と
を有するＴＤＭＡ無線通信システム。
【請求項８】
前記基地局と前記端末局との距離が大きくなるにしたがって、前記端末局に対してより小さい多値数又は符号化率を割当てることを特徴とした請求項４から７までのいずれか１項に記載のＴＤＭＡ無線通信システム。
【請求項９】
前記基地局と前記無線局との通信に起因する周辺への干渉電力と、前記基地局と前記無線局との間の距離との関係と；前記基地局と前記無線局との通信に必要な電力と、前記基地局と前記無線局との距離との関係と；に基づき画定される複数の無線環境ゾーン毎に前記多値数又は前記符号化率を前記端末局に割当てる請求項４から８までのいずれか１項に記載のＴＤＭＡ無線通信システム。
【請求項１０】
さらに、前記基地局は、前記端末局との通信を行う第１セル領域と異なる第２セル領域であって、前記基地局と異なる他の基地局及び端末局が通信を行う第２セル領域への干渉電力が一定値以下になるように前記端末局の前記第１セル領域内での前記基地局を基準とする位置に応じた伝送レートを算出する算出手段を有する請求項４から９までのいずれか１項に記載のＴＤＭＡ無線通信システム。
【請求項１１】
さらに、受信された各サブキャリアに対して受信電力に基づき順位付けされた情報を記憶する記憶手段を有しており、該順位付けに従って受信電力の高い順に送信を行うことを特徴とする請求項１から１０までのいずれか１項に記載のＴＤＭＡ無線通信システム。
【請求項１２】
さらに、多値数又は符号化率の高い順に送信を行うことを特徴とする請求項１１に記載のＴＤＭＡ無線通信システム。
【請求項１３】
さらに、受信された各サブキャリア単位で送信電力値を調整できる出力調整回路を備える請求項１から１２までのいずれか１項に記載のＴＤＭＡ無線通信システム。
【請求項１４】
前記一定値以上の伝送レートは、最大の伝送レートである請求項１から１３までのいずれか１項に記載のＴＤＭＡ無線通信システム。
【請求項１５】
一方の無線局、例えば基地局が設定した端末局の伝送レート以上の複数の伝送レートをサポートしている場合に、時間分割した前記ＴＤＭＡのタイムスロットをサブキャリアレベルで制御することにより、基地局では端末局から返信されてきたサブキャリア毎の受信状況に応じて、設定以上の複数種類の変調方式、符号化率を用いてサブキャリア毎の伝送レートを複数コントロールすることを特徴とするＴＤＭＡ無線通信システム。
【請求項１６】
無線局がサポートできる最大伝送レート、所望の受信電力に関して、時間分割した前記ＴＤＭＡのタイムスロットをサブキャリアレベルで制御することにより、一方の通信機から他方の通信機に伝送することを特徴とするＴＤＭＡ無線通信システム。
【請求項１７】
複数サブキャリア変調方式を用い、少なくとも第１及び第２の無線局を有するＴＤＭＡ無線通信システムに用いるのに適しており、
前記第２の無線局は、前記第１の無線局のサブキャリア毎の受信状況に基づき、時間分割した前記ＴＤＭＡのタイムスロットをサブキャリアレベルで制御することにより、前記第１の無線局において一定値以上の伝送レートを得ることができるサブキャリアのみを選択し、かつ、選択されたサブキャリアをその受信状況に応じた、多値数又は符号化率により変調して通信を行うことを特徴とした第２の無線局。
【請求項１８】
複数サブキャリア変調方式を用い、少なくとも第１及び第２の無線局を有するＴＤＭＡ無線通信システムに用いるのに適しており、サブキャリア毎の受信電力を検知するサブキャリア電力検出手段と、該サブキャリア電力検出手段により検知された前記受信電力に関する情報を前記第２の無線局に通知する通知手段とを有する第１の無線局。
【請求項１９】
複数サブキャリア変調方式を用い、少なくとも第１及び第２の無線局を有するＴＤＭＡ無線通信システムに用いるのに適しており、前記第１の無線局から送られたサブキャリア毎の受信状況に基づき、前記第１の無線局において一定値以上の伝送レートで通信可能な受信電力が得られるサブキャリアであるか否かを判別する判別手段と、該判別手段により通信可能と判別されたサブキャリアのみを選択する送信サブキャリア選択手段とを含み、該送信サブキャリア選択手段により選択されたサブキャリアを時間分割した前記ＴＤＭＡのタイムスロットをサブキャリアレベルで制御することにより、その受信状況に応じた多値数又は符号化率により変調して通信を行うことを特徴とした第２の無線局。
【請求項２０】
複数サブキャリア変調方式を用い、互いに同じ周波数を用いて通信を行う少なくとも１つの基地局と端末局とを有するＴＤＭＡ無線通信システムに用いるのに適しており、サブキャリア毎の受信電力を検出するサブキャリア電力検出手段と、該サブキャリア電力検出手段により検出された受信電力に基づいて、前記端末局において一定値以上の伝送レートで通信可能な受信電力が得られるサブキャリアであるか否かを判別する判別手段と、該判別手段により通信可能と判別されたサブキャリアのみを選択的する送信サブキャリア選択手段とを含み、該送信サブキャリア選択手段により選択された各サブキャリアを、時間分割した前記ＴＤＭＡのタイムスロットをサブキャリアレベルで制御することにより、その受信電力に応じた多値数又は符号化率により変調して通信を行うことを特徴とした基地局。
【請求項２１】
複数サブキャリア変調方式を用い、少なくとも１つの基地局と端末局とを有するＴＤＭＡ無線通信システムに用いるのに適しており、選択されたサブキャリアを、時間分割した前記ＴＤＭＡのタイムスロットをサブキャリアレベルで制御することにより、その受信状況に応じた前記端末局のサブキャリア毎の受信状況に基づき、前記端末局において一定値以上の伝送レートを得ることができるサブキャリアのみを選択し、かつ、選択されたサブキャリアをその受信状況と前記基地局を基準とした前記端末局の位置とに応じて割当てられる多値数又は符号化率により変調して通信を行うことを特徴とした基地局。
【請求項２２】
複数サブキャリア変調方式を用い、少なくとも１つの基地局と端末局とを有するＴＤＭＡ無線通信システムに用いるのに適しており、サブキャリア毎の受信電力を検知するサブキャリア電力検出手段と、該サブキャリア電力検出手段により検知された前記受信電力に関する情報を前記基地局に通知する通知手段とを有する端末局。
【請求項２３】
複数サブキャリア変調方式を用い、少なくとも１つの基地局と端末局とを有するＴＤＭＡ無線通信システムに用いるのに適しており、前記端末局から送られたサブキャリア毎の受信状況に基づき、前記端末局において一定値以上の伝送レートで通信可能な受信電力が得られるサブキャリアであるか否かを判別する判別手段と、時間分割した前記ＴＤＭＡのタイムスロットをサブキャリアレベルで制御することにより、前記受信状況と前記基地局を基準とした前記端末局の位置とに応じて多値数又は符号化率を割当てる割当て手段と、該判別手段により通信可能と判別されたサブキャリアのみを選択的に、かつ、前記割当て手段により割当てられた多値数又は符号化率により送信するサブキャリアを選択する送信サブキャリア選択手段とを有する基地局。
【請求項２４】
複数サブキャリア変調方式を用い、互いに同じ周波数を用いて通信を行う少なくとも１つの基地局と端末局とを有するＴＤＭＡ無線通信システムに用いるのに適しており、時間分割した前記ＴＤＭＡのタイムスロットをサブキャリアレベルで制御することにより、前記端末局のサブキャリア毎の受信状況に基づき、前記端末局において一定値以上の伝送レートを得ることができるサブキャリアのみを選択し、かつ、選択されたサブキャリアをその受信状況と前記基地局を基準とした前記端末局の位置とに応じて割当てられる多値数又は符号化率により変調して通信を行うことを特徴とした基地局。
【請求項２５】
複数サブキャリア変調方式を用い、互いに同じ周波数を用いて通信を行う少なくとも１つの基地局と端末局とを有するＴＤＭＡ無線通信システムに用いるのに適しており、サブキャリア毎の受信電力を検出するサブキャリア電力検出手段と、該サブキャリア電力検出手段により検出された受信電力に基づいて、前記端末局において一定値以上の伝送レートで通信可能な受信電力が得られるサブキャリアであるか否かを判別する判別手段と、時間分割した前記ＴＤＭＡのタイムスロットをサブキャリアレベルで制御することにより、前記受信電力と前記基地局を基準とした前記端末局の位置とに応じて多値数又は符号化率を各サブキャリアに対して割当てる割当て手段と、前記判別手段により通信可能と判別されたサブキャリアのみを選択的に、かつ、前記割当て手段により割当てられた多値数又は符号化率で送信する送信サブキャリア選択手段とを有する基地局。